(57)【要約】      （修正有）【課題】モータ等の電気的駆動源を使用することなく遊技球が面白い動きをする球振分装置を低コストで提供する。【解決手段】遊技球が自重で流下し得る第一傾斜路１７ａ，１７ｂおよび第二傾斜路１８ａ，１８ｂを形成し、上面２５ａの中心部に球入口２５ｂが形成された回転盤２５を略水平面内で回転自在なるように支持し、該回転盤の外周縁部にフィン２５ｄを形成し、該フィンを前記第一傾斜路と連なる傾斜面２１ａ，２１ｂに臨ませることにより該傾斜面を流下する遊技球が該フィンに接触し該回転盤を回転させると共に、前記第二傾斜路１８ａ，１８ｂを該回転盤の上面に連なるように配設して該第二傾斜路を流下した遊技球が該回転盤の上面に放出されることにより該遊技球が球入口２５ｄに流入可能なるようにした。また球入口２５ｄへの遊技球の流入を妨げる障害物２５ｃを回転盤の上面に形成する。【選択図】図８
2008142320.tif 000002
【特許請求の範囲】
【請求項１】
遊技球が自重で流下し得る第一傾斜路および第二傾斜路を形成し、上面の中心部に球入口が形成された回転盤を略水平面内で回転自在なるように支持し、該回転盤の外周縁部にフィンを形成し、該フィンを前記第一傾斜路と連なる傾斜面に臨ませることにより該傾斜面を流下する遊技球が該フィンに接触し該回転盤を回転させると共に、前記第二傾斜路を該回転盤の上面に連なるように配設して該第二傾斜路を流下した遊技球が該回転盤の上面に放出されることにより該遊技球が前記球入口に流入可能なるようにしたことを特徴とする弾球遊技機用球振分装置。
【請求項２】
球入口への遊技球の流入を妨げる障害物を回転盤の上面に形成した請求項１に記載の弾球遊技機用球振分装置。
【請求項３】
球入口への遊技球の流入を助ける誘導部を回転盤の上面に形成した請求項１または２に記載の弾球遊技機用球振分装置。
【請求項４】
それぞれ第一傾斜路および第二傾斜路に連通する２つの落下口が中心部に形成された円形状の球遊動皿を設け、該球遊動皿に流入した遊技球が第一傾斜路または第二傾斜路に誘導されるようにしたことを特徴とする請求項１〜３のいずれかに記載の弾球遊技機用球振分装置。
【請求項５】
球入口は特定入賞口と連通し、該球入口に入った遊技球が該特定入賞口に導かれるようにした請求項１〜４のいずれかに記載の弾球遊技機用球振分装置。
【発明の詳細な説明】
【技術分野】
【０００１】
本発明は、パチンコ遊技機、アレンジボール機、雀球遊技機等の弾球遊技機の遊技盤面上に設けられる弾球遊技機用球振分装置に関するものである。
【背景技術】
【０００２】
パチンコ遊技機に代表される遊技機では、その遊技盤面上に発射された遊技球に変化に富んだ面白い動きをさせて遊技者を楽しませるために、多数の釘、風車、或いは風車を利用して遊技球を特定方向に誘導する振分装置が設けられている。
例えば下記特許文献１では、上端に入球口と下端に球流出口を供えた通路と、通路内に取り付けられた振分部材と、振分部材の下方にて通路から分岐した第２通路とを設けた遊技機用振分装置が提案されている。
また、下記特許文献２では、入口を設けた周壁と、周壁内に設けられた振分手段と、振分手段の下端に設けられた複数の入賞口を備え、入球した遊技球をいずれか一方の入賞口に入賞する入賞装置が提案されている。
また、下記特許文献３には、床部上の球を受け入れるための少なくとも一つの球受部を有する第一回転体と、その近傍に位置する第二回転体とを備え、いずれの回転体も駆動回転するように構成された振分装置が提案されている。
【特許文献１】特開平１０−１４６４２５号公報
【特許文献２】特開平１０−２３００５０号公報
【特許文献３】特開２００３−１５９４０８号公報
【発明の開示】
【発明が解決しようとする課題】
【０００３】
しかしながら上記特許文献１および２に示された振分装置は、遊技球に面白い動きをさせるという観点からして十分なものとは言えなかった。
また、特許文献３に示された振分装置は、第一回転体と第二回転体とをモータ等の電気的駆動源により常に一定回転させるものであり両回転体の動きが定常的にならざるを得ないものであったので、何度か遊技を行うと飽きてしまうという問題があった。
【課題を解決するための手段】
【０００４】
本発明は上記課題を解決しようとするもので、請求項１に記載した弾球遊技機用球振分装置の発明は、遊技球が自重で流下し得る第一傾斜路および第二傾斜路を形成し、上面の中心部に球入口が形成された回転盤を略水平面内で回転自在なるように支持し、該回転盤の外周縁部にフィンを形成し、該フィンを前記第一傾斜路と連なる傾斜面に臨ませることにより該傾斜面を流下する遊技球が該フィンに接触し該回転盤を回転させると共に、前記第二傾斜路を該回転盤の上面に連なるように配設して該第二傾斜路を流下した遊技球が該回転盤の上面に放出されることにより該遊技球が前記球入口に流入可能なるようにしたことを特徴とする。
【０００５】
また請求項２に記載した発明は、上記弾球遊技機用球振分装置において、球入口への遊技球の流入を妨げる障害物を回転盤の上面に形成したことを特徴とする。
また請求項３に記載した発明は、上記弾球遊技機用球振分装置において、球入口への遊技球の流入を助ける誘導部を回転盤の上面に形成したことを特徴とする。
また請求項４に記載した発明は、上記弾球遊技機用球振分装置において、それぞれ第一傾斜路および第二傾斜路に連通する２つの落下口が中心部に形成された円形状の球遊動皿を設け、該球遊動皿に流入した遊技球が第一傾斜路または第二傾斜路に誘導されるようにしたことを特徴とする。
また請求項５に記載した発明は、上記弾球遊技機用球振分装置において、球入口は特定入賞口と連通し、該球入口に入った遊技球が該特定入賞口に導かれるようにしたことを特徴とする。
【発明の効果】
【０００６】
本発明によれば、モータ等の電気的駆動源を使用することなく低コストで遊技球が従来よりも一層面白くて興味ある動きをする球振分装置を提供できる。従って弾球遊技機を一層興趣あるものにすることができる。
【発明を実施するための最良の形態】
【０００７】
次に本発明の実施形態を図面に従い説明する。図１は本発明に係る球振分装置が設けられたパチンコ遊技機の正面図である。図中、１は遊技盤、２は遊技者が操作することにより該遊技盤上に遊技球を発射させる打球発射ハンドルである。遊技盤１の前面には多数の釘３、風車４、入賞口５、大入賞口６、装飾ランプ等が設けられていると共に、中央部に液晶ディスプレイのような図柄変動表示器７が設けられ、該図柄変動表示器の下部に本発明に係る球振分装置８が設けられ、該球振分装置８の下部中央に特定入賞口９が設けられている。
【０００８】
次に本発明に係る球振分装置８の詳細を図２〜図７に従い説明する。この球振分装置８は、取付板１０の前面に正面から見て緩やかな波形（略Ｗ形の波）に湾曲して水平方向に延びるような形態に球受棚１１が突出形成され、遊技盤面上を流下する遊技球が該球受棚上に捕捉され、その勢いにより該遊技球は該球受棚１１上を左右に転動し得るようにしている。１２ａ，１２ｂは該球受棚１１上にて遊技球が安定し得るＷ形の低部二個所にて前方に円形状に張り出すように形成された一対の球遊動皿で、該球遊動皿は中心がスリ鉢状に低くなるように形成すると共に、該中心部に２つの落下口１３ａ，１４ａおよび落下口１３ｂ，１４ｂをそれぞれ隣り合わせに形成している。なお、球受棚１１の前縁には球遊動皿１２ａ，１２ｂの外周縁における接線方向に連なり遊技球を該球遊動皿中に誘導する溝１５ａ，１５ｂが形成されている。このため、球受棚１１上に捕捉された遊技球は該溝１５ａ，１５ｂを通って球遊動皿１２ａ上または球遊動皿１２ｂ上に流入し、該遊技球はその流入時の勢いによって該球遊動皿上をしばらく旋回した後にその中心の２つの落下口のうちのいずれかに落下する。
【０００９】
該球遊動皿１２ａ，１２ｂの下方部には取付板１０の前面より突出する支持台１６が形成され、該支持台上に、図５に示されるように、第一傾斜路１７ａと第二傾斜路１８ａが上面に形成された路盤１９ａ、および、第一傾斜路１７ｂと第二傾斜路１８ｂが上面に形成された路盤１９ｂを支持し、第一傾斜路１７ａを前記落下口１３ａの真下に、第二傾斜路１８ａを前記落下口１４ａの真下にそれぞれ位置させ、第一傾斜路１７ｂを前記落下口１３ｂの真下に、第二傾斜路１８ｂを前記落下口１４ｂの真下にそれぞれ位置させる。なお、該各傾斜路は遊技球が自重で転落し得るように緩い傾斜状に形成される。このため、落下口１３ａに落下した遊技球は第一傾斜路１７ａを流下し、落下口１４ａに落下した遊技球は第一傾斜路１８ａを流下し、落下口１３ｂに落下した遊技球は第一傾斜路１７ｂを流下し、落下口１４ｂに落下した遊技球は第一傾斜路１８ｂを流下する。
【００１０】
また、支持台１６の中央部に前方に向けて下傾する中央樋２０が形成され、該中央樋の両側には同じく前方に向けて下傾する傾斜面２１ａ，２１ｂが形成され、前記第一傾斜路１７ａ，１７ｂの下端を該各傾斜面の奥部に通路２２ａ，２２ｂを介してそれぞれ連通させ、該第一傾斜路１７ａ，１７ｂを流下した遊技球は通路２２ａ，２２ｂを通って該傾斜面２１ａ，２１ｂの奥部に誘導され、該遊技球はそれぞれ該傾斜面２１ａ，２１ｂをその奥部から前方に向けて自重で流下するようにしている。
【００１１】
また、図７にも示されるように、中央樋２０の上部に軸受部材２３をビス２４により固設し、該軸受部材上に回転盤２５を略水平面内で回転自在なるように支持する。該回転盤２５はゴルフのグリーンがイメージされる上面２５ａとその中心部にグリーンホールがイメージされる球入口２５ｂが形成され、該上面２５ａは僅かに球面状に盛り上がった形状に形成され、該上面２５ａの一部には遊技球が該球入口２５ｂに流入することの障害物となる旗付きポール２５ｃが突設されている。そして、前記第二傾斜路１８ａ，１８ｂの下端をそれぞれ該回転盤２５の上面周縁に臨ませることにより、該第二傾斜路１８ａ，１８ｂを流下した遊技球が該回転盤２５の上面２５ａに放出されようにしている。また、該回転盤２５の下面の外周縁部にフィン２５ｄがスプロケットのように一体に形成され、該フィン２５ｄが前記傾斜面２１ａ，２１ｂ上に垂下状に臨むようにしている。このため、該傾斜面２１ａ，２１ｂを流下する遊技球が該フィンに接触し、その接触によって該回転盤２５が矢印で示したように水平面内で回転し得る。また、回転盤の上面に障害物としての凸状の起伏を形成してもよい。
【００１２】
また、図７に示されるように取付板１０に竪の短絡通路２６が形成され、該短絡通路の上端は前記球受棚１１の中央部に開口している入球口２７と連通し、該短絡通路の下端は回転盤２５の上面と相対する窓孔２８と連通している。このため、球受棚１１に捕捉された遊技球が入球口２７に入ると、該遊技球は窓孔２８から回転盤２５の上面２５ａに放出される。
【００１３】
このように構成した球振分装置８では、傾斜面２１ａを流下する遊技球によって回転盤２５が反時計方向に回転し、傾斜面２１ｂを流下する遊技球によって回転盤２５が時計方向に回転し、その回転によって障害物であるポール２５ｃの位置が変化し得る。このため、第二傾斜路１８ａまたは第二傾斜路１８ｂから回転盤２５の上面２５ａに放出された遊技球は、中心部の球入口２５ｂに入ることも、ポール２５ｃに当たってしまって入らないこともある。また、窓孔２８から回転盤２５の上面２５ａに放出される遊技球についても、球入口２５ｂに入ることも、ポール２５ｃに当たってしまって入らないこともある。例えば、ポール２５ｃが第二傾斜路１８ａの直前または第二傾斜路１８ｂの直前に停止位置していると、該各第二傾斜路から放出された遊技球が球入口２５ｂに極めて入り難い状況となる。
【００１４】
そして、球入口２５ｂに入った遊技球は中央樋２０を流下しその前端縁から落下することにより前記特定入賞口９に高確率で入賞する。また、ポール２５ｃに当たるなどして球入口２５ｂに入らなかった遊技球は回転盤２５上から傾斜面２１ａ，２１ｂ上に落下し、該各傾斜面の前端縁から特定入賞口９の脇に落下するので、該特定入賞口に入賞する確率は低くなる。
【００１５】
このように本発明の球振分装置は、傾斜面２１ａ，２１ｂを遊技球が流下し回転盤２５が回転することにより障害物の位置が変化するので、その状況によって遊技球を球入口２５ｂに入り易くしたり入り難くなり、その状況をまた次に該傾斜面２１ａ，２１ｂを流下する遊技球によって変化させることができる。このため、モータ等の電気的駆動源を使用することなく製造コストが軽減されると共に、遊技球の流れ自体が次の遊技球の行方を左右することとなり、非常に面白く遊技性に富む球振分を行うことができる。
【００１６】
一方、図８，図９に示した球振分装置は、本発明の他の実施形態を示したもので、この実施形態では、回転盤２５中心部の球入口２５ｂ上にキャラクターを想起させる３本の足２５ｃを有した筒状体３０を設けると共に、球受棚１１の中央部前縁から前方張出状なるように短絡樋３１を形成し、該短絡樋の先端部底面に該筒状体３０の真上に位置する開口を形成し、球受棚１１上から該短絡樋３１に誘導された遊技球が該短絡樋３１の先端開口から該筒状体３０中に落下することにより、遊技球が直接球入口２５ｂに入り得るようにしている。また、この実施形態では回転盤２５をキャラクターを想起させるようにフィン２５ｄを多数の軸状に形成してなる。このようにフィン２５ｄは、上記実施形態に示したようなスプロケット状に形成しても、多数の軸状に形成しても、リブ状、ボス状に形成したものであってもよい。
【００１７】
また、この球振分装置では回転盤２５の後側にも遊技球が自由に動き得るようなスペースが設けられている。このため、第一傾斜路１７ａから流出した遊技球がそのスペースを通って傾斜面２１ｂに流れることも、第一傾斜路１７ｂから流出した遊技球がそのスペースを通って傾斜面２１ａに流れることもあり、その遊技球の流れによって回転盤２５の回転方向が左右される。その他の主な構成は、上記実施形態と同様であるので、相当する部分に同一符号を付した。この実施形態では、回転盤２５の回転状況により、筒状体３０の足２５ｃが回転盤２５上に放出された遊技球が球入口２５ｂに入球することを妨げる障害物となり得る。
【００１８】
このように回転盤２５上に設ける障害物については種々の形態が想定されるが、図１０に示したように、回転盤２５の上面２５ａの一部を球入口２５ｂに集束する扇形に凹ませることにより、遊技球の流入を助ける誘導部２５ｅを形成し、該誘導部２５ｅに遊技球が放出された場合に該遊技球が該誘導部に案内されることにより、ほぼ確実に球入口２５ｂに流入するようにしてもよい。このためこれらの誘導部や障害物により遊技球が球入口２５ｂに流入し易くしたり流入し難くすることができる。
【図面の簡単な説明】
【００１９】
【図１】本発明に係る球振分装置が設けられたパチンコ遊技機の正面図。
【図２】本発明に係る球振分装置の実施形態を示す斜視図。
【図３】本発明に係る球振分装置の実施形態を示す正面図。
【図４】本発明に係る球振分装置の実施形態を示す平面図。
【図５】図３のＡ−Ａ線断面図。
【図６】図４のＢ−Ｂ線断面図。
【図７】図４のＣ−Ｃ線断面図。
【図８】本発明に係る球振分装置の他の実施形態を示す斜視図。
【図９】図８の球振分装置の正面図。
【図１０】本発明に係る球振分装置の回転盤の他の実施形態を示した斜視図。
【符号の説明】
【００２０】
１                遊技盤
８                球振分装置
９                特定入賞口
１０              取付板
１１              球受棚
１２ａ，１２ｂ    球遊動皿
１３ａ，１４ａ    落下口
１３ｂ，１４ｂ    落下口
１７ａ，１７ｂ    第一傾斜路
１８ａ，１８ｂ    第二傾斜路
２０              中央樋
２１ａ，２１ｂ    傾斜面
２５              回転盤
２５ａ            上面
２５ｂ            球入口
２５ｃ            障害物（ポール）
２５ｄ            フィン
２５ｅ            誘導部
【図１】
2008142320.tif 000003
【図２】
2008142320.tif 000004
【図３】
2008142320.tif 000005
【図４】
2008142320.tif 000006
【図５】
2008142320.tif 000007
【図６】
2008142320.tif 000008
【図７】
2008142320.tif 000009
【図８】
2008142320.tif 000010
【図９】
2008142320.tif 000011
【図１０】
2008142320.tif 000012